(57)【要約】      （修正有）【課題】投入口への指などの挿入を確実に防止することができる安全性の高いシュレッダーを提供する。【解決手段】投入口から投入された被裁断物を回転刃１２，１２で裁断し屑収容箱に排出するシュレッダーにおいて、投入口を蓋で覆い、蓋とシュレッダー本体との間に幼児の指が入らない幅の間隙３０を設け、蓋の変位によって回転刃が駆動不能になるように構成すると共に、間隙への被裁断物の挿入を案内するガイド部材３をシュレッダー本体２に設け、ガイド部材のシュレッダー本体への取付部から前記投入口に向かう導入面を、ガイド部材の傾斜角よりも小さく設定した。シュレッダー本体と蓋との隙間に指を差し込んで蓋を動かした際には回転刃が駆動しない状態となる上に、万一、ガイド部材に手を滑らせた場合であっても、ガイド部材の取付部である間隙付近において指の進入速度を遅くすることができる。【選択図】図４
0003154631.tif 000002
【実用新案登録請求の範囲】
【請求項１】
投入口（９）から投入された被裁断物を回転刃（１２，１２）で裁断し屑収容箱（７）に排出するシュレッダー（１）において、
投入口（９）を蓋（４）で覆い、該蓋（４）とシュレッダー本体（２）との間に幼児の指が入らない幅の間隙（３０）を設け、該蓋（４）の変位によって回転刃が駆動不能になるように構成すると共に、前記間隙への被裁断物の挿入を案内するガイド部材（３）を、前記シュレッダー本体（２）に設け、
前記ガイド部材（３）の前記シュレッダー本体（２）への取付部から前記投入口（９）に向かう導入面（１０）を、前記ガイド部材（３）の傾斜角よりも小さく設定したことを特徴とするシュレッダー。
【請求項２】
前記ガイド部材（３）から前記投入口（９）に向かう滑らかな面が形成されていることを特徴とする請求項１に記載のシュレッダー。
【考案の詳細な説明】
【技術分野】
【０００１】
本考案は、紙やコンパクトディスク等の被裁断物を細かく裁断するためのシュレッダーに関し、特に、被裁断物の投入口に指などを入れることによる怪我を防止できるシュレッダーに関する。
【背景技術】
【０００２】
シュレッダーの投入口に、誤って指を入れることによる怪我の発生を防止するため技術として、例えば特許文献１に開示されたものがある。
特許文献１に開示の技術は、シュレッダーの投入口に人の指などの望ましくない対象物が進入するのを検知するために、投入口の近傍に人や動物の存在を検知する近接センサを設けるというものである。
【特許文献１】特開２００５−９５８９８
【考案の開示】
【考案が解決しようとする課題】
【０００３】
しかしながら、特許文献１に開示の技術には、人や動物などの望ましくないものと、裁断しようとする物とを区別して検知できる近接センサが必要である上に、センサの配設位置によっては、被裁断物を差し込む際の作業者の手などにも反応してしまい、裁断作業に支障を来す虞がある。
【０００４】
特に、被裁断物が挿入されると同時に自動的に回転刃が回転する構成のシュレッダーにおいては、被裁断物の挿入を検知するセンサが別個に必要になるので、それぞれのセンサの性能や構造が複雑化する上に、取り付け位置の調節が困難である。このため、製造コストが嵩み、商品価格が高くなるので、家庭用のシュレッダーとして普及させるには難しい。
そこで、本考案は、簡単な構造でありながら、投入口への指などの挿入を確実に防止することができる安全性の高いシュレッダーの提供を目的とする。
【課題を解決するための手段】
【０００５】
上記課題を解決するために、本考案は、投入口から投入された被裁断物を回転刃で裁断し屑収容箱に排出するシュレッダーにおいて、投入口を蓋で覆い、該蓋とシュレッダー本体との間に幼児の指が入らない幅の間隙を設け、該蓋の変位によって回転刃が駆動不能になるように構成すると共に、前記間隙への被裁断物の挿入を案内するガイド部材を、前記シュレッダー本体に設け、前記ガイド部材の前記シュレッダー本体への取付部から前記投入口に向かう導入面の傾斜角を、前記ガイド部材の傾斜角よりも小さく設定したことを特徴とするものである。
【０００６】
この場合、前記ガイド部材を、１０度乃至５０度の範囲で斜め上方に向けた状態で、前記間隙の近傍に取り付けてもよい。
また、前記ガイド部材から前記投入口に向かう滑らかな面が形成されるようにしてもよい。
【０００７】
また、投入口から投入された被裁断物を回転刃で裁断し屑収容箱に排出するシュレッダーにおいて、前記投入口を蓋で覆い、該蓋に幼児の指が入らない幅のスリットを設け、前記蓋の変位によって回転刃が駆動不能になるように構成してもよい。
本考案において、前記投入口の近傍にリミットスイッチを設け、前記蓋に、該蓋が閉じた状態のときに前記リミットスイッチの操作部を押圧する突起部を設け、該突起部が前記操作部を押圧することによって回転刃が駆動可能になるようにしてもよい。
【考案の効果】
【０００８】
請求項１のシュレッダーは、シュレッダーの投入口を蓋で覆い、該蓋とシュレッダー本体との間に幼児の指が入らない幅の間隙を設け、蓋の変位によって回転刃が駆動不能状態になるように構成したので、シュレッダー本体と蓋との隙間に指を差し込んで蓋を動かしたり、蓋を開放した場合は、必ず回転刃が駆動しない状態となる。
【０００９】
このため、幼児等が蓋を開放し、投入口に指を差し込んでも、回転する刃に指が巻き込まれるといった事態は生じない。これによって、投入口に誤って指を入れることによる怪我の発生を防止することができる。
また、投入口が常に遮蔽された状態なので、裁断作業中の者が身に付けているネクタイ等が投入口に吸い込まれて回転刃に巻き込まれるといった事故も防止でき、シュレッダーの投入口における安全性が一層高められる。
【００１０】
一方、紙等のシート状のものは、蓋とシュレッダー本体の間の間隙から投入口に挿入することができるので、シュレッダーとしての裁断機能は確保される。
特に、間隙を回転刃の裁断能力に応じた幅に設計すれば、裁断可能枚数を超えて被裁断物を間隙内に差し込んだ場合に蓋が変位するので、被裁断物が回転刃に達する前に回転刃を駆動不能にすることができる。これによって、被裁断物が回転刃に噛み込まれる事態を防止でき、回転刃の耐久性を向上させることができる。
【００１１】
なお、本考案において、「幼児の指が入らない幅」は、満1才児程度の子供の指のサイズを考慮して設計するものとする。また、「回転刃を駆動不能にする」とは、回転中の回転刃を停止させることを含むものであり、例えば、シュレッダーの主電源が切れるような設計、モータの駆動回路が切れるような設計等が採用できる。さらに、蓋は、シュレッダー本体に対して回動することによって開放される構成であってもよいし、スライドすることによって開放される構成であってもよい。
そして、本考案においては、シュレッダー本体にガイド部材を設けたので、被裁断物を間隙へと円滑に挿入することができる。
【００１２】
この場合、ガイド部材を１０度乃至５０度の範囲で傾斜させることで、裁断作業において自然な姿勢で、間隙に被裁断物を挿入することができる。なお、このガイド部材は、直線状の傾斜面であってもよいし、湾曲状の傾斜面であってもよい。
【００１３】
さらに、本考案においては、ガイド部材の取付部から前記投入口に向かう導入面の傾斜角を、ガイド部材の傾斜角よりも小さく設定したので、万一、幼児等がガイド部材に手を滑らせた場合であっても、ガイド部材の取付部である間隙付近において指の進入を食い止めることができるか、或いは進入速度を遅くすることができる。また、ガイド部材の方が斜度が大きいため、指が間隙に対して角度をもって進入することとなり、間隙に進入する際の蓋の変位量を大きくすることができる。これによって、幼児の指よりも小さな幅の間隙においてシュレッダーの蓋を確実に変位させることができる。
【００１４】
請求項２に係る考案は、ガイド部材から投入口に向かう滑らかな面が形成されるようにしたので、間隙から挿入された被裁断物が円滑に投入口まで導かれ、裁断作業をスムーズに進めることができる。
【考案を実施するための最良の形態】
【００１５】
本考案の好適な実施形態について、添付図面に基づいて説明する。なお、実施形態は以下の形態に限定されるものではなく、本考案の課題を解決しうるものであれば他の態様も可能である。
【実施例１】
【００１６】
図１は、本考案の第１実施形態に係るシュレッダーを示す斜視図である。このシュレッダー１は、紙やコンパクトディスクなどのシート状の被裁断物を裁断するもので、シュレッダー本体２と、ガイド部材３と、蓋４とによって構成される。
シュレッダー本体２は、図２に示すように、縦長直方体状のハウジング５の内部に、裁断作用を行う裁断部６、屑収集箱７とを収容することによって構成されている。
【００１７】
ハウジング５の正面は、一側縁部に回動可能に取り付けられた扉８によって構成されている。この扉８を開けば、ハウジング内の上方に形成された裁断部６の下方に、屑収集箱７が前方に引き出し可能に収容されている。
ハウジング５の上面部には、被裁断紙が投入される投入口９が設けられている。この投入口９は、図３に示すように、ハウジング５の正面側から滑らかな曲面で漏斗状に湾曲する導入面１０と、ハウジング上面から垂直方向に下降する後壁面１１との間に形成されたスリット状の開口部である。
【００１８】
この開口部の下方には、裁断作用を行うための一対の回転刃１２，１２が配設されている。この回転刃１２，１２は、筒状体の周面に鋭利な切断刃を多数設けたもので、２本の筒状体は、切断刃が対向するように水平に並列させて配置され、両端部においてハウジング５の両側面に設けられたフレームに回転可能に支承されている。
この回転刃１２，１２の上方（例えば、投入口９の壁面）には、センサ１３が取り付けられており、そのセンサ１３が被裁断紙の挿入を検知すことによって、図示しない駆動モータが作動し、回転刃１２，１２が回転するようになっている。
回転刃１２，１２を回転させるための駆動モータは、ハウジング５の上面に設けられた電源スイッチ１４をＯＮにすることによって閉じる電源回路に接続されている。
【００１９】
ハウジング５の上面の所定位置に小孔が設けられており、その小孔からリミットスイッチ２０のプランジャ先端部２１が表れている。このプランジャ先端部２１は、リミットスイッチ２０の操作部として機能するものであり、ハウジング内には、図４及び図５に示すように、プランジャ先端部２１が蓋４の突起部４１によって押圧されるような位置にリミットスイッチ２０が取り付けられている。
リミットスイッチ２０は、電源回路に接続されており、プランジャ先端部２１が押圧されることによって電源回路が閉じて回転刃１２，１２は駆動可能状態になり、押圧を解除することによって駆動不能状態になる。
【００２０】
上記回転刃１２，１２、駆動モータ、センサ１３、リミットスイッチ２０及び電源回路等の回転刃１２，１２を駆動させるための一連の機器をもって裁断部６が構成されており、この裁断部６は、ハウジング５の扉８を開けた際に表れる前壁面１４と、ハウジング５の扉８を開けて屑収集箱を引き出した際に、裁断部６と屑収集箱との間を遮蔽するシャッター１５とによって、裁断作業者が直接触れることがないように保護されている。
【００２１】
ハウジング正面の扉８の上端部には、ガイド部材３が形成されている。このガイド部材３は、シュレッダー本体２と蓋４との間の間隙３０に被裁断物を挿入しやすくするためのもので、１０度〜５０度、好ましくは２０度〜４０度の範囲、本実施例では３０度の傾斜角α（図６参照）で斜め上方に向けて取り付けられている。
【００２２】
このガイド部材３は、図１及び図２に示すように、ハウジング５の上面よりも僅かに低い位置で扉８に取り付けられており、このハウジング５の上面とガイド部材３の取付部との間に間隙３０が形成される。この間隙３０は、幼児の指が入らない程度の幅に設定されており、１ｍｍ〜４ｍｍの範囲に設定されるのが好ましい。本実施例においては、２．５ｍｍに設定されている。
【００２３】
この間隙３０に被裁断物が挿入されることで、被裁断物が導入面１０を経て投入口９に至り裁断可能となるので、間隙３０の幅を回転刃１２，１２の裁断能力に応じた幅に設定することで、回転刃１２，１２の裁断能力を超えた量の被裁断物が間隙３０に挿入された際に回転刃１２，１２が停止されるようにすることができる。例えば、厚さ０．１ｍｍのコピー用紙を裁断する場合において、回転刃１２，１２の裁断可能枚数が２０枚の場合は、間隙３０の幅を２ｍｍ程度にするとよい。
【００２４】
図６に示すように、ガイド部材３の取付部は、ハウジング上面の導入面１０を介して投入口９へと連続しており、ガイド部材３の取付部から導入面１０に向かう際の傾斜角βは、ガイド部材３の傾斜角αよりも小さく設定されている。
このように、ガイド部材３の取付部から投入口９に向かう導入面１０の傾斜角βをガイド部材３の傾斜角αよりも小さくすることによって、万一、幼児等がガイド部材３に手を滑らせた際に、斜度の変わる地点（即ち、シュレッダー本体２と蓋４の間のガイド部材３の取付部）において指の進入を停止させるか、或いは進入速度を遅くすることができる。
また、ガイド部材３の方が傾斜角が大きいため、指が角度をもって間隙３０内に進入するので、その際の蓋４の変位量Ｍを大きくすることもできる。これによって、幼児の指の幅よりも小さく設定されている間隙３０においてシュレッダーの蓋４を確実に持ち上げることができる。
【００２５】
ハウジング上面には、投入口９を被う蓋４が設けられている。この蓋４は、ハウジング５の上面の両側部に設けられた枢支部において回動可能に取り付けられており、回動端部４０をハウジング上面の前端部（即ち、ガイド部材３が取り付けられている位置）まで延ばしている。この蓋４は、合成樹脂製の平板によって形成されており、被裁断物が裁断されていく様子が視認できるように透明部材によって構成するのが望ましい。
この蓋４の下面には、リミットスイッチ２０のフランジャ先端２１を押圧可能な突起部４１が設けられている。
【００２６】
上記構成のシュレッダー１の使用方法を説明する。
裁断作業を行う際は、被裁断物をガイド部材３に載置する。すると、傾斜状のガイド部材３を被裁断物が滑り落ち、ハウジング５と蓋４との間の間隙３０を通過し、導入面１０に導かれて投入口９に至る。この際、センサ１３によって被裁断物の存在が検知され、投入口９の下方に設けられた回転刃１２，１２が駆動する。そして、回転状態の回転刃１２，１２の間を被裁断物が通過することによって、被裁断物が回転刃１２，１２に巻き込まれながら細かく裁断される。
【００２７】
この場合、間隙３０を回転刃１２，１２の裁断能力に応じた幅に設計しておけば、裁断可能枚数を超えて被裁断物が間隙３０内に挿入された場合に蓋４が変位し、被裁断物が投入口９に達する前に回転刃１２，１２が駆動不能状態になる。これによって、被裁断物が回転刃１２，１２に噛み込まれるといった事態を防止できるので、回転刃１２，１２の耐久性を向上させることができる。
【００２８】
万一、裁断作業中に、幼児等が投入口９に指を入れようとして蓋４を開けた場合、蓋４の変位によるリミットスイッチ２０の作用によって回転刃１２，１２が駆動不能になるので、投入口９に指を差し込んだ時には既に回転刃１２，１２は停止状態となっている。このため、指が回転刃１２，１２に巻き込まれるといった事態は生じず、指の切断などの大事故が発生する可能性がなくなる。
また、投入口９が常時遮蔽された状態なので、裁断作業中に作業者が身に付けているネクタイ等が投入口９に吸い込まれるといった事態も生じない。
【００２９】
なお、本実施形態においては、投入口９の近傍にリミットスイッチ２０を設け、リミットスイッチ２０の操作部を押圧する突起部４１を蓋４に設けることによって、蓋４の変位を検出するようにしたが、蓋４の変位を検出することができるものであれば、如何なる装置を使用してもよい。また、センサやスイッチは、蓋４の動きによって大きな変位量が得られるような位置に配設すればよく、蓋４やシュレッダー本体２の構造に応じて適宜選択することができる。例えば、リミットスイッチ２０を押圧する突起部４１を蓋４に直接設けるのではなく、蓋４に別部材を取り付け、その部材に突起部４１を設けてもよい。
【００３０】
また、本実施形態における蓋４は、シュレッダー本体２に対して回動するものを用いたが、スライド式の蓋であってもよい。この場合も、蓋の変位を検出できるような位置にリミットスイッチ等の位置センサを取り付けるものとする。
本実施形態においては、ガイド部材３を直線状に構成したが、図７（ａ）に示すように、湾曲状であってもよい。また、図７（ｂ）に示すように、シュレッダー本体２のガイド部材３は水平であってもよいし、必ずしも設ける必要もない。
【００３１】
また、図８に示すように、ガイド部材３から投入口９に向かって連続的な滑らかな面が形成されるようにしてもよく、このようにすれば、ガイド部材３に載置された被裁断物が導入面１０を経て投入口９へと円滑に導かれ、裁断作業をスムーズに行うことができる。
【実施例２】
【００３２】
次に、本考案の第２実施形態に係るシュレッダー１’を、図９を参照して説明する。
このシュレッダー１’は、ガイド部材を有しない点、蓋とシュレッダー本体との間に間隙が設けられていない点、その代わりとして蓋４’にスリット４２が設けられている点を除き、第１実施形態に係るシュレッダーと同一である。
以下、第１実施形態のシュレッダーと同一の構成のものには同一の符号を付し、その説明を省略する。
【００３３】
本実施形態のシュレッダー１’は、シュレッダー本体２と、蓋４’と、からなるものであり、シュレッダー本体２のハウジング５及び内部構造は、第１実施形態のものと同一の構成である。なお、ハウジング正面の扉８の上端部はハウジング上面部まで達しており、扉８にはガイド部材は取り付けらていない。
ハウジング５の上面部には、投入口９を覆う蓋４’が設けられている。この蓋４’は、ハウジング５の上面の両側部において回動可能に取り付けられており、回動端部４０’をハウジング上面の前端部まで延ばしている。
【００３４】
この蓋４’は、合成樹脂製の平板によって形成されており、蓋４’を閉じた際に投入口９の直上に位置する箇所に、投入口９と同じ長さのスリット４２が形成されている。このスリット４２は、幼児の指が入らない程度の幅に設定されており、１ｍｍ〜４ｍｍの範囲に設定されるのが好ましい。本実施例においては、２ｍｍに設定されている。
この蓋４’の下面には、シュレッダー本体２のハウジング内に設けられたリミットスイッチのプランジャ先端部２１を押圧可能な突起部４１’が設けられている。
【００３５】
上記構成のシュレッダー１’の使用方法を説明する。
裁断作業を行う際は、蓋４’のスリット４２に、被裁断物を真上から差し込む。すると、直下に位置する投入口９に被裁断物が挿入される。この際、投入口の壁面に設けられたセンサによって被裁断物の挿入が検知され、投入口９の下方に設けられた回転刃が駆動する。そして、回転状態の回転刃の間を被裁断物が通過することによって、被裁断物が回転刃に巻き込まれながら細かく裁断される。
【００３６】
万一、裁断作業中に、幼児等が投入口９に指を入れようとして蓋４’を開けた場合、蓋４’の変位によるリミットスイッチの作用によって回転刃が駆動不能になる。このため、指が回転刃に巻き込まれるといった事態は生じず、指の切断などの大事故が発生する可能性がなくなる。
また、投入口９が常時遮蔽された状態なので、裁断作業中に作業者が身に付けているネクタイ等が投入口９に吸い込まれるといった事態も生じない。
【００３７】
なお、本実施形態のシュレッダー１’は、投入口９の真上から被裁断物をスリットに差し込み、そのまま直下の投入口９に投入されるようにしたので、投入口９への導入面をハウジング上面に形成する必要はなく、より一層簡単な構造となる。これによって、既存のシュレッダーに、スリット付きの蓋を設け、蓋の変位を検出して回転刃を駆動不能状態にすることができるリミットスイッチ等の部品を取り付けるだけで、安全性の高いシュレッダーを製造することが可能となる。
【産業上の利用可能性】
【００３８】
本考案は、業務用及び家庭用のシュレッダーに使用することができる。
【図面の簡単な説明】
【００３９】
【図１】本考案の第１実施形態に係るシュレッダーを示す斜視図である。
【図２】上記シュレッダーの正面中央部を側面に平行な平面で切断した状態を示す概略断面図である。
【図３】上記シュレッダーの蓋を開放した状態を示す斜視図である。
【図４】上記シュレッダーの右側面に沿って切断した状態を示す部分概略断面図である。
【図５】図４において、蓋が変位した状態を示す部分概略断面図である。
【図６】ガイド部材と導入面の傾斜状態を示す説明図である。
【図７】ガイド部材の変形例を示す説明図である。
【図８】ガイド部材と導入面の変形例を示す説明図である。
【図９】本考案の第２実施形態に係るシュレッダーを示す斜視図である。
【符号の説明】
【００４０】
１、１’・・・シュレッダー
２・・・シュレッダー本体
３・・・ガイド部材
４、４’・・・蓋
５・・・ハウジング
６・・・裁断部
７・・・屑収集箱
８・・・扉
９・・・投入口
１０・・・導入面
１１・・・後壁面
１２・・・回転刃
１３・・・センサ
１４・・・電源スイッチ
２０・・・リミットスイッチ
２１・・・プランジャ先端部（操作部）
３０・・・間隙
４０・・・回動端部
４１、４１’・・・突起部
４２・・・スリット
【図１】
0003154631.tif 000003
【図２】
0003154631.tif 000004
【図３】
0003154631.tif 000005
【図４】
0003154631.tif 000006
【図５】
0003154631.tif 000007
【図６】
0003154631.tif 000008
【図７】
0003154631.tif 000009
【図８】
0003154631.tif 000010
【図９】
0003154631.tif 000011